【手続補正書】
【提出日】平成27年10月23日(2015.10.23)
【手続補正１】
【補正対象書類名】明細書
【補正対象項目名】０３８１
【補正方法】変更
【補正の内容】
【０３８１】
本明細書では本発明の原理を説明したが、当業者にとっては当然のことながら、この説明は例示にすぎず、本発明の範囲に関して限定するものではない。本明細書において図に示され、文章で説明された例示的実施形態に加えて、本発明の範囲の中で他の実施形態も想定される。当業者による改変や置き換えも、本発明の範囲に含まれると考えられる。
発明の第１の態様は、製品容器からソレノイドポンプを通じて流れる流体の流動状態を監視するシステムであって、
少なくとも１つのソレノイドポンプであって、通電すると前記ソレノイドポンプの１ストロークを発生させるソレノイドコイルを含む、少なくとも１つのソレノイドポンプと、
前記少なくとも１つのソレノイドポンプに接続された少なくとも１つの製品容器であって、前記少なくとも１つのソレノイドポンプは各ストローク中に前記少なくとも１つの製品容器から流体を吐出する、少なくとも１つの製品容器と、
前記少なくとも１つのソレノイドポンプを通電させるように構成された少なくとも１つのＰＷＭコントローラと、
前記ソレノイドコイルを通る電流フローを検出し、検出された前記電流フローの出力を生成する少なくとも１つの電流センサと、
前記ＰＷＭコントローラに命令することによって前記ソレノイドポンプを通る流体の流量を制御し、前記電流センサからの前記出力を受け取ることによって前記ソレノイドポンプを通る電流を監視するための制御論理サブシステムであって、前記ソレノイドコイルを通る前記電流フローの測定値を使用して、前記ソレノイドポンプの前記ストロークが機能的であるか否かを判定する、制御論理サブシステムと
を含むシステムである。
発明の第２の態様は、前記制御論理サブシステムが、少なくとも前記ソレノイドコイルを通る前記電流フローの測定値を使用して、前記少なくとも１つの製品容器が売切れ状態であると判定する、第１の態様のシステムである。
発明の第３の態様は、前記制御論理サブシステムが、前記ソレノイドコイルを通る前記電流フローの測定値を使用して、前記ソレノイドポンプの前記ストロークが非機能的であるか否かを判定する、第１の態様のシステムである。
発明の第４の態様は、前記制御論理サブシステムが、前記ソレノイドコイルを通る前記電流フローの測定値を使用して、前記ソレノイドポンプの前記ストロークが売切れストロークであるか否かを判定する、第３の態様のシステムである。
発明の第５の態様は、前記制御論理サブシステムが、連続する売切れストロークの閾値回数に達したときに、前記少なくとも１つの製品容器が売切れ状態であると判定する、第４の態様のシステムである。
発明の第６の態様は、前記少なくとも１つの製品容器が、前記少なくとも１つの製品容器内に残っている流体の量を表す残量表示の値を記憶するＲＦＩＤタグをさらに含む、第５の態様のシステムである。
発明の第７の態様は、前記制御論理サブシステムが、ある回数の連続する売切れストロークが判定され、前記残量表示が閾値体積を超えたときに、前記少なくとも１つの製品容器が売切れ状態であると判定する、第６の態様のシステムである。
発明の第８の態様は、製品容器からの流体のソレノイドポンプを通る流量を監視する方法であって、
前記ソレノイドポンプのソレノイドコイルを通電させて、前記ソレノイドポンプの１ストロークを発生させるステップと、
各ストローク中に前記ソレノイドポンプを通じて前記製品容器からの流体を吐出するステップと、
電流センサを使用して前記ソレノイドを通る電流フローを検出し、検出された前記電流フローの出力を生成するステップと、
制御論理サブシステムを使用して、前記ソレノイドポンプを通る電流を監視するステップであって、前記制御論理サブシステムが前記電流センサからの検出電流フローを受け取るステップと、
前記ソレノイドポンプの前記ストロークが機能的か否かを判定するステップと、
を含む方法である。
発明の第９の態様は、前記制御論理サブシステムが、少なくとも前記ソレノイドコイルを通る前記電流フローの測定値を使用して、前記少なくとも１つの製品容器が売切れ状態であると判定するステップをさらに含む、第８の態様の方法である。
発明の第１０の態様は、前記制御論理サブシステムが、前記ソレノイドコイルを通る前記電流フローの測定値を使用して、前記ソレノイドポンプの前記ストロークが非機能的であるか否かを判定するステップをさらに含む、第８の態様の方法である。
発明の第１１の態様は、前記制御論理サブシステムが、前記ソレノイドコイルを通る前記電流フローの測定値を使用して、前記ソレノイドポンプの前記ストロークが売切れストロークであるか否かを判定するステップをさらに含む、第１０の態様の方法である。
発明の第１２の態様は、前記制御論理サブシステムが、連続する売切れストロークの閾値回数に到達したときに、前記少なくとも１つの製品容器が売切れ状態であると判定するステップをさらに含む、第１１の態様の方法である。
発明の第１３の態様は、前記少なくとも１つの製品容器内に残っている流体の量を表す残量表示の値を記憶するＲＦＩＤタグを使用して、前記製品容器に残っている流体の量を測定するステップをさらに含む、第１２の態様の方法である。
発明の第１４の態様は、前記制御論理サブシステムが、ある回数の連続する売切れストロークが判定され、前記残量表示が閾値体積を超えたときに、前記製品容器が売切れ状態であると判定するステップをさらに含む、第１３の態様の方法である。
発明の第１５の態様は、製品容器が売切れ状態であると判定するシステムであって、
少なくとも１つのソレノイドポンプであって、通電すると前記ポンプの１ストロークを発生させるソレノイドコイルを含む、少なくとも１つのソレノイドポンプと、
前記少なくとも１つのソレノイドポンプに接続された少なくとも１つの製品容器であって、前記少なくとも１つのソレノイドポンプは各ストローク中に前記少なくとも１つの製品容器から流体を吐出する、少なくとも１つの製品容器と、
前記少なくとも１つのソレノイドポンプを通電させ、前記少なくとも１つのソレノイドポンプに印加される電圧を制御するように構成された少なくとも１つのＰＷＭコントローラと、
前記ソレノイドコイルを通る電流フローを検出し、検出された前記電流フローの出力を生成する少なくとも１つの電流センサと、
前記ＰＷＭコントローラに命令することによって前記ソレノイドポンプを通る流体の流量を制御し、前記電流センサからの前記出力を受け取ることによって前記ポンプを通る電流を監視するための制御論理サブシステムであって、前記少なくともソレノイドコイルを通る前記電流フローの測定値を使用して、前記少なくとも１つの製品容器が売切れ状態であると判定する、制御論理サブシステムと
を含むシステムである。
発明の第１６の態様は、前記制御論理サブシステムが、前記電流センサの前記出力に基づいて、前記少なくとも１つのソレノイドポンプのストロークが機能的ストロークであったか否かを判定する、第１５の態様のシステムである。
発明の第１７の態様は、前記制御論理サブシステムが、前記電流センサの前記出力に基づいて、前記少なくとも１つのソレノイドポンプのストロークが売切れストロークであったか否かを判定する、第１６の態様のシステムである。
発明の第１８の態様は、前記制御論理サブシステムが、連続する売切れストロークの閾値回数に到達したときに、前記少なくとも１つの製品容器が売切れ状態であると判定する、第１７の態様のシステムである。
発明の第１９の態様は、前記制御論理サブシステムが、前記電流センサの前記出力に基づいて、前記少なくとも１つのソレノイドポンプのストロークが非機能的ストロークであったか否かを判定する、第１８の態様のシステムである。
発明の第２０の態様は、前記少なくとも１つの製品容器が、前記少なくとも１つの製品容器内に残っている流体の量を表す残量表示の値を記憶するＲＦＩＤタグをさらに含む、第１９の態様のシステムである。
発明の第２１の態様は、前記制御論理サブシステムが、ある回数の連続する売切れストロークが判定され、前記残量表示が閾値体積を超えたときに、前記システムが売切れ状態であると判定する、第２０の態様のシステムである。
発明の第２２の態様は、前記制御論理サブシステムが、前記ＰＷＭコントローラの高周波数デューティサイクルを変化させることによって、前記電流センサにより測定された電流を制御する、第１５の態様のシステムである。
発明の第２３の態様は、前記少なくとも１つのソレノイドポンプに、前記少なくとも１つのＰＷＭコントローラと前記少なくとも１つの電流センサを介して接続された少なくとも１つの電源をさらに含む、第１５の態様のシステムである。